(57)【要約】      （修正有）【課題】運送中の貨物が傾倒、落下して損壊する状況の発生を確実に回避できるハンドウインチを提供する。【解決手段】ハンドウインチは、ベース１とレンチ３を備える。レンチ３は、ベース１の軸棒２１に回動可能に設置される。軸棒２１両端には２個のラチェットが設置される。ベース１には、ベルトをゆっくりと緩める時に用いる第２案内部１５が設けられる。ベルトをゆっくりと緩める時には、第１押上げ部３１５、第２押上げ部３１６は、レンチ３を第２案内部１５内で往復回動させる操作に応じ、第１ガード部品２３と第２ガード部品２４とを順に押してラチェット歯２２１から交互に離間させる。第１ガード部品２３、第２ガード部品２４は、ラチェットのラチェット歯２２１に対して交互に繰り返し係合する。これによりラチェットが少しずつゆっくりと回転する。急速にベルトを緩める前にベルトをゆっくり緩めることで安全を確保することができる。【選択図】図１
0003174061.tif 000002
【実用新案登録請求の範囲】
【請求項１】
２個の軸孔と、前記軸孔の内壁の相対する両側に形成された第１スライド溝および第２スライド溝と、前記軸孔の径外方向に位置し前記第１スライド溝から前記第２スライド溝までの間に順に形成された、ベルトを締めるときに用いる第１案内部、第１阻害部、前記ベルトをゆっくり緩めるときに用いる第２案内部、第２阻害部、および、前記ベルトを急速に緩めるときに用いる第３案内部とを有するベースと、
前記軸孔を挿通し、両端部が前記軸孔の外側に突き出す軸棒と、
前記軸孔の外側で前記軸棒に相対回動可能に嵌合し、前記軸棒と一体に回転し、先端が前記第１案内部よりも径外方向に位置するとともに前記第２案内部および前記第３案内部よりも径内方向に位置する複数のラチェット歯を有するラチェットと、
前記ラチェット歯に対し接近および離間可能に前記第１スライド溝に保持される第１ガード部品と、
前記第１ガード部品を前記ラチェット歯側に付勢する第１トルク部品と、
前記ラチェット歯に対し接近および離間可能に前記第２スライド溝に保持される第２ガード部品と、
前記第２ガード部品を前記ラチェット歯側に付勢する第２トルク部品と、
前記軸棒に相対回動可能に嵌合する嵌合孔、前記係合ロック部品を前記ラチェット歯に対し接近および離間可能に保持する第３スライド溝、および、前記嵌合孔を取り囲むよう形成される第１導引セクションおよび円弧状の第２導引セクションを有する２個の側板を含むレンチと、
前記係合ロック部品を前記ラチェット歯側に付勢する第３トルク部品と、
を備え、
周方向で前記第２案内部の両側に位置する前記第１阻害部から前記第２阻害部までの距離は、周方向で隣接する一対の前記ラチェット歯間の距離に一致し、
前記第１導引セクションは、前記ラチェット歯の先端よりも径内方向に位置し、
前記第２導引セクションは、前記ラチェット歯の先端よりも径外方向に位置し、
前記レンチは、前記第１導引セクションと前記第２導引セクションとの間で輪郭が徐々に大きくなる第１押上げ部、前記第２導引セクションに対し前記第１押上げ部とは反対側で輪郭が徐々に小さくなる第２押上げ部、および、前記第２押上げ部に対し前記第２導引セクションとは反対側に凸状の緩衝凸部と陥没状の停止部とを有し、
前記ベルトを締める時、前記第１導引セクションは、前記ラチェット歯に係合して前記軸棒の回転をロックし、前記第２導引セクションは、前記第２ガード部品を押して前記ラチェット歯から離間させ、
前記ベルトをゆっくりと緩める時、前記第１押上げ部および前記第２押上げ部は、前記第１ガード部品および前記第２ガード部品を交互に押して前記ラチェット歯から離間させ、前記第１ガード部品および前記第２ガード部品の動きを規制し、前記ラチェット歯に交互に係合して前記軸棒の回転をロックし、前記ラチェット歯の歯１個ずつでゆっくりと前記ベルトを緩めることを可能とし、
前記ベルトを急速に緩める時、前記第１導引セクションおよび前記停止部は、前記第１ガード部品および前記第２ガード部品を押して前記ラチェット歯から離間させ、前記軸棒を回転可能とすることを特徴とするハンドウインチ。
【請求項２】
前記ベースは、２個の側面板、および、２個の前記側面板間を連結する複数の連結棒を有し、
前記複数の連結棒のうち１つは、前記ベースの第１スライド溝の近傍に位置することを特徴とする請求項１に記載のハンドウインチ。
【請求項３】
前記第３案内部に対し前記第２阻害部とは反対側には、定位凹部が設けられ、
前記レンチには、前記定位凹部に定位可能な棒部品が固定され、
前記係合ロック部品は、プルハンドルを備えることを特徴とする請求項１に記載のハンドウインチ。
【請求項４】
前記レンチのうち前記嵌合孔を有する一端部とは反対の他端部には、グリップが設けられることを特徴とする請求項１に記載のハンドウインチ。
【考案の詳細な説明】
【技術分野】
【０００１】
本考案は、ハンドウインチに関する。
【背景技術】
【０００２】
特許文献１に開示された従来のハンドウインチは、ベルトを締め付け、貨物を固定することができる。
【先行技術文献】
【特許文献】
【０００３】
【特許文献１】米国特許第５，６９２，２６９号
【考案の概要】
【考案が解決しようとする課題】
【０００４】
特許文献１に開示されたハンドウインチは、ベルトを緩めるとき、引っ張られていたベルトを瞬時に緩める。そのため、ベルトが急速に滑って脱落し、貨物が倒れる恐れがある。
【０００５】
また、トラックに搭載された貨物は、搭載数が多すぎること、高く積み上げすぎること、積み方が不安定であること、或いは運送中の急ブレーキや急ハンドル等に起因して荷台上で傾く可能性がある。特に、このように傾いた状態でハンドウインチのベルトを瞬時に緩めると、ベルトが緩んだ瞬間に貨物が傾れて落下し、貨物が損壊する恐れがある。
【０００６】
本考案は、上述の点に鑑みてなされたものであり、その目的は、ベルトを緩めるとき貨物が傾れることを抑制することができるハンドウインチを提供することである。
【課題を解決するための手段】
【０００７】
本考案のハンドウインチは、ベースと、軸棒と、ラチェットと、第１ガード部品と、第１トルク部品と、第２ガード部品と、第２トルク部品と、レンチと、第３トルク部品とを備える。
ベースは、２個の軸孔と、軸孔の内壁の相対する両側に形成された第１スライド溝および第２スライド溝と、軸孔の径外方向に位置し第１スライド溝から第２スライド溝までの間に順に形成された、ベルトの緊迫に用いる第１案内部、第１阻害部、ベルトをゆっくり緩めるときに用いる第２案内部、第２阻害部、および、ベルトを急速に緩めるときに用いる第３案内部とを有する。
【０００８】
軸棒は、ベースの軸孔を挿通し、両端部が軸孔の外側に突き出す。
ラチェットは、ベースの軸孔の外側で軸棒に相対回動可能に嵌合し、軸棒と一体に回転し、複数のラチェット歯を有する。ラチェット歯は、先端が第１案内部よりも径外方向に位置するとともに第２案内部および第３案内部よりも径内方向に位置する。
【０００９】
第１ガード部品は、ラチェット歯に対し接近および離間可能に第１スライド溝に保持される。第１トルク部品は、第１ガード部品をラチェット歯側に付勢する。
第２ガード部品は、ラチェット歯に対し接近および離間可能に第２スライド溝に保持される。第２トルク部品は、第２ガード部品をラチェット歯側に付勢する。
【００１０】
レンチは、２個の側板を備える。側板は、軸棒に相対回動可能に嵌合する嵌合孔、係合ロック部品をラチェット歯に対し接近および離間可能に保持する第３スライド溝、および、嵌合孔を取り囲むよう形成される第１導引セクションおよび円弧状の第２導引セクションを有する。
【００１１】
第３トルク部品は、係合ロック部品をラチェット歯側に付勢する。
周方向で第２案内部の両側に位置する第１第１阻害部から第２阻害部までの距離は、周方向で隣接する一対のラチェット歯間の距離に一致する。
第１導引セクションは、ラチェット歯の先端よりも径内方向に位置し、第２導引セクションは、ラチェット歯の先端よりも径外方向に位置する。
【００１２】
レンチは、第１導引セクションと第２導引セクションとの間で輪郭が徐々に大きくなる第１押上げ部、第２導引セクションに対し第１押上げ部とは反対側で輪郭が徐々に小さくなる第２押上げ部、および、第２押上げ部に対し第２導引セクションとは反対側に凸状の緩衝凸部と陥没状の停止部とを有する。
ベルトを締める時、第１導引セクションは、ラチェット歯に係合して軸棒の回転をロックし、第２導引セクションは、第２ガード部品を押してラチェット歯から離間させる。
【００１３】
ベルトをゆっくりと緩める時、第１押上げ部および第２押上げ部は、第１ガード部品および第２ガード部品を交互に押してラチェット歯から離間させ、第１ガード部品および第２ガード部品の動きを規制する。そして、ラチェット歯に交互に係合して軸棒の回転をロックし、ラチェット歯の歯１個ずつでゆっくりとベルトを緩めることを可能とする。
ベルトを急速に緩める時、第１導引セクションおよび停止部は、第１ガード部品および第２ガード部品を押してラチェット歯から離間させ、軸棒を回転可能とする。
【考案の効果】
【００１４】
本考案のハンドウインチによれば、ベルトをゆっくり緩めるときに用いる第２案内部を形成することで、使用者は必要と状況に応じて先にベルトをゆっくり緩めた後、第３案内部に移りベルトの一般的な解除を行うことができるので、安全を確保し、運送中の貨物が傾倒、落下して損壊する状況の発生を確実に回避することができる。
【図面の簡単な説明】
【００１５】
【図１】本考案によるハンドウインチの斜視図である。
【図２】本考案によるハンドウインチがベルトを締める時の第１状態を示す図である。
【図３】本考案によるハンドウインチがベルトを締める時の第２状態を示す図である。
【図４】本考案によるハンドウインチがベルトをゆっくり緩める時の第１状態を示す図である。
【図５】本考案によるハンドウインチがベルトをゆっくり緩める時の第２状態を示す図である。
【図６】本考案によるハンドウインチがベルトをゆっくり緩める時の第３状態を示す図である。
【図７】本考案によるハンドウインチがベルトを急速に緩める時の状態を示す図である。
【考案を実施するための形態】
【００１６】
以下、本考案の実施の形態を図面に基づき説明する。
（一実施形態）
図１〜７に示すように、本実施形態によるウインチは、ベース１、軸棒２１、２個のラチェット２２、第１ガード部品２３、第２ガード部品２４およびレンチ３を備える。
ベース１は、２個の軸孔１１を備える。各軸孔１１の相対する両側には、第１スライド溝１２と第２スライド溝１３が形成されている。
【００１７】
ベース１の軸孔１１の周囲のうち第１スライド溝１２から第２スライド溝１３までの間には、ベルトを締めるときに用いる第１案内部１４、ベルトをゆっくり緩めるときに用いる第２案内部１５、ベルトを急速に緩めるときに用いる第３案内部１６が順番に形成されている。第１案内部１４と第２案内部１５との間には、第１阻害部１７が形成されている。第２案内部１５と第３案内部１６との間には、第２阻害部１８が形成されている。
【００１８】
ベース１は、２個の側面板１０を備える。
２個の側面板１０は、複数の連結棒１０１により連結されている。複数の連結棒１０１のうち所定の連結棒１０１Ａは、ベース１の第１スライド溝１２に近い側に位置し、ベルト１０２の一端を係止する。
軸棒２１は、２個の軸孔１１を挿通する。軸棒２１の両端部は、軸孔１１に対し外側に突き出す。軸棒２１は、ベルト１０２を巻きつけるために用いる。
【００１９】
２個のラチェット２２は、軸棒２１の両端部に嵌め付けられ、軸孔１１の外側で軸棒２１と一体に回転する。各ラチェット２２は、外周部に複数のラチェット歯２２１を形成する。ラチェット歯２２１の先端は、第１案内部１４よりも径外方向に位置し、第２案内部１５および第３案内部１６よりも径内方向に位置する。第２案内部１５に対し周方向両側に位置する第１阻害部１７と第２阻害部１８との周方向の距離は、ラチェット歯２２１の１個分の回転量に対応する。
【００２０】
第１ガード部品２３は、第１スライド溝１２内でラチェット歯２２１に対し接近および離間する方向にスライド可能に設けられる。トルクバネなどで構成される第１トルク部品２３１は、第１ガード部品２３をラチェット歯２２１側に付勢する。
【００２１】
第２ガード部品２４は、第２スライド溝１３内でラチェット歯２２１に対し接近および離間する方向にスライド可能に設けられる。トルクバネなどで構成される第２トルク部品２４１は、第２ガード部品２４をラチェット歯２２１側に付勢する。
【００２２】
レンチ３は、２個の側板３１を備える。各側板３１の一端部は、嵌合孔３１１を有する。レンチ３の他端部には、グリップ３０が固定される。軸棒２１の端部は、レンチ３の嵌合孔３１１を挿通する。レンチ３は、軸棒２１の両端部により相対回動可能に設けられる。
【００２３】
側板３１は、一端部側から他端部側に延びる第３スライド溝３１２を有する。第３スライド溝３１２には、係合ロック部品３２がラチェット歯２２１に対し接近および離間する方向にスライド可能に設けられる。係合ロック部品３２は、プルハンドル３２１を有する。
【００２４】
トルクバネなどで構成される第３トルク部品３２２は、係合ロック部品３２をラチェット歯２２１側に付勢する。レンチ３が第１案内部１４の径外方向に位置するとき、係合ロック部品３２は第１案内部１４側に付勢され、ラチェット歯２２１に押し付けられる。レンチ３が第２案内部１５の径外方向に位置するとき、係合ロック部品３２は第２案内部１５に押し付けられる。レンチ３が第３案内部１６の径外方向に位置するとき、係合ロック部品３２は第３案内部１６に押し付けられる。
【００２５】
側板３１の他端部の外縁部は、周方向で第１導引セクション３１３と第２導引セクション３１４とに分けられる。第２導引セクション３１４は、円弧状に形成される。第１導引セクション３１３は、ラチェット２２のラチェット歯２２１の先端よりも径内方向に形成される。第２導引セクション３１４は、ラチェット２２のラチェット歯２２１の先端よりも径外方向に形成される。
【００２６】
第１導引セクション３１３から第２導引セクション３１４までの間には、輪郭が徐々に大きくなる第１押上げ部３１５が形成される。第１押上げ部３１５から離れた第２導引セクション３１４のそばには、輪郭が徐々に小さくなる第２押上げ部３１６が形成される。
【００２７】
ベルトを締めるとき、第１導引セクション３１３は、第１ガード部品２３とラチェット歯２２１との係合を許容し、第２導引セクション３１４は、第２ガード部品２４とラチェット歯２２１とを離間させる。
【００２８】
ベルトをゆっくり緩める時には、第１押上げ部３１５、第２押上げ部３１６は、第１ガード部品２３と第２ガード部品２４とを順に押してラチェット歯２２１から交互に離間させ、第１ガード部品２３およびラチェット歯２２１をラチェット歯２２１に交互に係合させる。
第２押上げ部３１６に対し第２導引セクション３１４とは反対側には凸状の緩衝凸部３１７および陥没状の停止部３１８が順に形成される。
【００２９】
ベルトを急速に緩める時には、第２導引セクション３１４は第１ガード部品２３とラチェット歯２２１とを離間させ、停止部３１８は第２ガード部品２４とラチェット歯２２１とを離間させる。
第３案内部１６に対し第２案内部１５とは反対側には、定位凹部１９が形成される。レンチ３には、定位凹部１９に定位可能な棒部品３３が設けられる。
【００３０】
図２、図３に示すように、ベルトを締める時には、係合ロック部品３２は、第１案内部１４の径外方向に位置する。この時、第１ガード部品２３は、ラチェット２２のラチェット歯２２１に係合し、第２ガード部品２４は、第２導引セクション３１４によりラチェット歯２２１から離間させられる。
【００３１】
使用者は、係合ロック部品３２をラチェット歯２２１に係合させたまま、レンチ３を図２に示す位置から図３に示す位置まで逆時計回りに動かし、軸棒２１を回転させる。そして、係合ロック部品３２が第１阻害部１７のブロックに当たるまで或いは当たる直前まで動かした後、プルハンドル３２１を操作して係合ロック部品３２とラチェット歯２２１との係合を解除させ、図２に状態に戻す。以後、上記操作を繰り返すことでベルトを締めることができる。
【００３２】
図４〜６は、ベルトをゆっくり緩める様子を示す模式図である。急速にベルトを緩める前にベルトをゆっくり緩めることで安全を確保することができる。
ベルトを締める状態からベルトをゆっくり緩める状態に移行するとき、係合ロック部品３２のプルハンドル３２１を引き動かしてレンチ３を回転させることにより、係合ロック部品３２は、第１阻害部１７を越え、第２案内部１５に接触して停止する。
【００３３】
図４に示すように、レンチ３が第２案内部１５の径外方向に位置させられると、第２ガード部品２４は、第２押上げ部３１６により径外方向に押される。このとき、第１ガード部品２３は、ラチェット歯２２１に係合して軸棒２１の回転をロックする。
【００３４】
図４に示す位置から図５に示す位置を経由し図６に示す位置までレンチ３を回転させると、第１ガード部品２３は、第１押上げ部３１５により径外方向に押され、ラチェット歯２２１との係合を解除する。この時、ラチェット２２は、ラチェット歯２２１が第２ガード部品２４に係合するまで時計回りに回転する。ラチェット歯２２１と第２ガード部品２４とが係合すると、軸棒２１の回転はロックされる。
【００３５】
図６に示す位置までレンチ３が回転させられると、次は図６に示す位置から図５に示す位置を経由し図４に示す位置までレンチ３を回転させられる。以後、上記操作を繰り返すことでラチェット２２が少しずつゆっくりと回転する。
【００３６】
ベルトをゆっくり緩めるときには、第１ガード部品２３、第２ガード部品２４は、ラチェット２２のラチェット歯２２１に対して交互に繰り返し係合する。第１押上げ部３１５および第２押上げ部３１６は、レンチ３が往復回動させられる間、第１ガード部品２３、第２ガード部品２４を径外方向に押す。こうして、ラチェット２２のラチェット歯２２１の歯本体は、第１ガード部品２３、第２ガード部品２４の間接押上げを受ける。
【００３７】
第２案内部１５でレンチ３を動かす時の距離の連動関係により、レンチ３が一回往復移動すると、ラチェット２２は歯１個分だけ回転させられ、これにより歯１個ずつゆっくりとベルトを緩めることができる。
【００３８】
ラチェット２２のラチェット歯２２１は、図示のように、湾曲する長弧状部分と短弧状部分とで構成される。これにより、第２案内部１５でレンチ３を動かす時、ラチェット２２のラチェット歯２２１と第１ガード部品２３、第２ガード部品２４との間には、導引押上げの力が生じる。こうしてラチェット２２のラチェット歯２２１は、スムーズに一歯一歯の方式で回転する。
【００３９】
図７は、ベルトを急速に緩める様子を示す模式図である。ベルトをゆっくり緩める状態からベルトを急速に緩める状態に移行するとき、プルハンドル３２１を引き動かしてレンチ３を回転させることにより、係合ロック部品３２は、第２停止部１８を越え、第３案内部１６に接触して停止する。
【００４０】
第１ガード部品２３は、第２導引セクション３１４により径外方向へ押される。第２ガード部品２４は、停止部３１８により径外方向へ押さえる。この時、第１ガード部品２３、第２ガード部品２４は、ラチェット２２のラチェット歯２２１に対する係合を解除する。このとき、ラチェット２２の回転を規制するものはなく、自由状態であるので、ベルトを急速に緩めることができる。
【００４１】
以上、本考案は、上述した実施形態に何ら限定されるものではなく、その趣旨を逸脱しない範囲において例えば部品（構造）の転換、置換、数量の増減などを行うことができ、種々の形態で実施可能である。
【００４２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４３】
１    ：ベース
１０  ：側面板
１０１、１０１Ａ：連結棒
１０２：ベルト
１１  ：軸孔
１２  ：第１スライド溝
１３  ：第２スライド溝
１４  ：第１案内部
１５  ：第２案内部
１６  ：第３案内部
１７  ：第１阻害部
１８  ：第２阻害部
１９  ：定位凹部
２１  ：軸棒
２２  ：ラチェット
２２１：ラチェット歯
２３  ：第１ガード部品
２３１：第１トルク部品
２４  ：第２ガード部品
２４１：第２トルク部品
３    ：レンチ
３０  ：グリップ
３１１：嵌合孔
３１  ：側板
３１２：第３スライド溝
３１３：第１導引セクション
３１４：第２導引セクション
３１５：第１押上げ部
３１６：第２押上げ部
３１７：緩衝凸部
３１８：停止部
３２  ：係合ロック部品
３２１：プルハンドル
３２２：第３トルク部品
３３  ：棒部品
【図１】
0003174061.tif 000003
【図２】
0003174061.tif 000004
【図３】
0003174061.tif 000005
【図４】
0003174061.tif 000006
【図５】
0003174061.tif 000007
【図６】
0003174061.tif 000008
【図７】
0003174061.tif 000009